(57)【特許請求の範囲】
【請求項１】
２つのブラシを、バネにより加圧させて車軸に取り付けられたスリップリングに接触させるようにした接地ブラシ装置において、
１つのブラシ保持函に２つのブラシ挿入溝をＶ字形に並列して形成し、各ブラシ挿入溝にブラシを装着してスリップリングに接触させるようになし、各ブラシの上端側には、上部にリード線を固着したターミナルが設けられ、
該ターミナルは、２つのＶ字形のブラシ挿入溝についての並列方向に対して垂直方向である縦断面方向において長方形または正方形とされ、かつ前記リード線の固着位置が前記ターミナルの、スリップリング周方向でＶ字形の挿入溝の外側に対応する箇所であること
を特徴とする接地ブラシ装置。
【請求項２】
請求項１において、前記ターミナルへの前記リード線の固着する面が長方形であることを特徴とする接地ブラシ装置。
【発明の詳細な説明】
【０００１】
【発明の属する技術分野】
本発明は、電車、機関車等のパタングラフから供給される電流を、レールに帰還する為に用いられる接地ブラシ装置に関する。
【０００２】
【従来の技術】
従来の接地ブラシ装置にあっては、ブラシの上部側面に、銅管を用いこれを加締めてほぼ三角形のターミナルを固着し、さらにターミナルの上部にリード線を固着する構造を採用している。
【０００３】
【発明が解決しようとする課題】
接地ブラシ装置は車両の車軸の軸箱に取り付けられて使用されるため、ブラシに、車輪の大きな振動が伝わり易い。また、リード線は、接続されるターミナルの形状がほぼ三角形である関係で固定部がターミナルの内側となっている。しかしながらこのような構造によると、Ｖ字形のブラシ挿入溝に２つのリード線並設して設ける形態にあってはリード線同士が接近して干渉し易く、損傷し易いという問題がある。
本発明は、リード線同士が干渉し難い接地ブラシ装置を提供するものである。
【０００４】
【課題を解決するための手段】
本発明は、２つのブラシを、バネにより加圧させて車軸に取り付けられたスリップリングに接触させるようにした接地ブラシ装置において、
１つのブラシ保持函に２つのブラシ挿入溝をＶ字形に形成し、各ブラシ挿入溝にブラシを装着してスリップリングに接触させるようになし、各ブラシの上端側には、上部にリード線を固着したターミナルが設けられ、
該ターミナルは、前記リード線を固着する形状がターミナルの設けられるブラシの縦断面方向において長方形または正方形の面とされ、かつ前記ターミナルへの前記リード線の固着位置が２つのＶ字形のブラシ挿入溝間から見て、Ｖ字形のブラシ挿入溝の外側に対応する長方形または正方形の形状の面とされること
を特徴とする接地ブラシ装置を提供する。
【０００５】
【発明の実施の形態】
以下、本発明の実施の形態を図面により説明する。
図１は本発明の実施例になる接地ブラシ装置１００の一部断面側面図及び図２は本発明の実施例になる接地ブラシ装置に用いられるブラシの側面図で、ブラシ保持函１のＶ字形のブラシ挿入溝にブラシ２が装着され、該ブラシ２はスリップリング１５に、Ｌ字型バネ固定金具１１に固定された薄板バネ１０で加圧される構造になっている。
【０００６】
なお、１２は薄板バネ１０をＬ字型バネ固定金具１１に固定するためのリベット、１４はＬ字型バネ固定金具１１にストッパー１３を固定するためのリベット及び３は薄板バネ１０を固定したＬ字型バネ固定金具１１を係止するためのピンである。
【０００７】
ブラシ保持函１は、取り付け側の軸箱（図示せず）と絶縁板１７で絶縁され、接地ブラシ装置はボルト１６で軸箱に取り付けられている。
【０００８】
また、従来の接地ブラシ装置と同様に、ブラシ２と薄板バネ１０を路線からの石や塵埃から保護する目的でパッキング１８とカバー１９をボルト２０でブラシ保持函１に取り付けている。
すなわち、パンタグラフから供給された電流を、レールに効率良く電流を帰還させる目的で、ブラシ保持函１は、取り付け側の軸箱と絶縁板１７で絶縁されており、接地ブラシ装置はボルト１６で軸箱に取り付けられている。
【０００９】
また、ブラシ２と薄板バネ１０を路線からの石や塵埃から保護する目的でパッキング１８とカバー１９をボルト２０でブラシ保持函１に取り付けている。
【００１０】
図２において、４は上部にＶ字溝を設けたガイド、５はブラシ２とターミナル２１を固定するための銅管、６はガイド固定凹凸部、前記ガイド４の上部にはリード線８を固着したターミナル２１が載置される。図に示すように、ターミナル２１およびリード線８は２組の並設されたペアとして組み立てられる。このターミナル２１の上部で反リード線接続側には横方向に突出した一対の側壁２２が設けられている。リード線８の先端には端子９が取り付けられている。リード線８を固着するターミナル２１の縦断面形状は実質的に長方形または正方形とし、リード線８のターミナル２１への固着位置をＶ字形のブラシ挿入溝２９の外側とする。
【００１１】
図１及び図２に示すように、ブラシ保持函１にブラシ２がスリップリング１５に対して垂直に装着されるように傾斜角度を持たせてＶ字形のブラシ挿入溝を形成するとともに、リード線８を固着したターミナル２１の上部で反リード線固着側に、横方向に突出した一対の側壁２２を設けた。
【００１２】
一方、薄板バネ１０の片方の端部（渦巻き部を形成していない側の部分）をＬ字型バネ固定金具１１にリベット１２で固定すると共に、Ｌ字型バネ固定金具１１に薄板バネ飛び出し防止用のストッパー１３をリベット１４で固定した。
【００１３】
次に、ブラシ２を図２に示す構造になるように組み立て、その後、図１に示すブラシ保持函１に設けたブラシ挿入溝２９にブラシ２を２個それぞれ装着した。さらにブラシ２の頭部を薄板バネ１０の渦巻き部で加圧するように、上方で曲がり、中央および下方がストレート形状をしたＬ字型バネ固定金具１１に固定された薄板バネ１０をブラシ保持函１の所定の位置に挿入して渦巻き部をブラシ２の頭部、詳しくはガイド４の上部に載置した。次いで薄板バネ１０がブラシ２を加圧時飛び出さないように、薄板バネ１０を固定したＬ字型バネ固定金具１１をブラシ保持函１に加締めて取り付けたピン３に薄板バネ飛び出し防止用のストッパー１３で係止した。
【００１４】
なお、ブラシ２を交換するときは、前記ピン３から薄板バネ飛び出し防止用のストッパー１３を取り出して圧力を解放し、ブラシ保持函１から薄板バネ１０を引き抜くことにより簡単にブラシ２を交換することができる。
【００１５】
本発明において、ブラシを加圧するバネは、薄板バネを用いることが好ましい。
また、バネのブラシを押さえる部分の形状については特に制限はないが、本発明においては渦巻き部を形成して用いることが好ましい。
【００１６】
ターミナルの形状は、縦断面方向の面形状が長方形又は正方形であることが必要とされ、それ以外の形状では本発明の効果は得られない。形状が長方形又は正方形であればリード線の曲率半径を大きくすることができる。また、本発明のように上部にリード線を固着するような構造のブラシは、ターミナルの形状は正方形より長方形の方が好ましい。
【００１７】
なお、ターミナル上部のリード線を固着する箇所の反対側の部分（以下反リード線固着側という）には、バネの渦巻き部がターミナルの下部に備えたガイドから巻き込み方向と反対方向に飛び出すのを防止するため横方向に突出した一対の側壁を設けておくことが好ましい。
【００１８】
【発明の効果】
本発明の接地ブラシ装置用ブラシによれば、リード線同士が干渉し難くなる利点がある。
【図面の簡単な説明】
【図１】
本発明の実施例になる接地ブラシ装置の一部断面側面図である。
【図２】
本発明の実施例になる接地ブラシ装置に用いられるブラシの側面図である。
【符号の説明】
１…ブラシ保持函、２…ブラシ、３…ピン、４…ガイド、５…銅管、６…ガイド固定凹凸部、８…リード線、９…端子、１０…薄板バネ、１１…Ｌ字型バネ固定金具、１２、１４…リベット、１３…ストッパー、１５…スリップリング、１６、２０…ボルト、１７…絶縁板、１８…パッキング、１９…カバー、２１…ターミナル、２２…側壁、２９…Ｖ字形のブラシ挿入溝、１００…接地ブラシ装置。
【図１】
0004191947.tif 000002
【図２】
0004191947.tif 000003